(57)【要約】【課題】スコープだけを引き上げて、プロセッサとの組み合わせを考慮した解析が可能な内視鏡システムを提供する。【解決手段】内視鏡システム１は、撮像部（撮像素子）１１と、メモリ２３と、解析用画像データの生成作業時に撮像部（撮像素子）１１からの画像信号に代えて基準信号を出力する基準信号出力部とを有するスコープ１０を備える。通常使用時に画像信号について画像処理を施し、解析用画像データの生成作業時に基準信号について画像処理を施す実使用プロセッサ３０を備える。実使用プロセッサ３０に接続され、解析用画像データの生成作業時において、基準信号について画像処理が施された画像の特性を測定するデータ作成用測定部７０を備える。解析用画像データの生成作業時において、実使用プロセッサ３０は、データ作成用測定部による測定結果を解析用画像データとしてスコープ１０に送信し、メモリ２３は解析用画像データを記録する。【選択図】図１
2009072577.tif 000002
【特許請求の範囲】
【請求項１】
撮像素子と、メモリと、解析用画像データの生成作業時に前記撮像素子からの画像信号に代えて基準信号を出力する基準信号出力部とを有するスコープと、
通常使用時に前記画像信号について画像処理を施し、前記解析用画像データの生成作業時に前記基準信号について画像処理を施す実使用プロセッサと、
前記実使用プロセッサに接続され、前記解析用画像データの生成作業時において、前記基準信号について画像処理が施された画像の特性を測定するデータ作成用測定部とを備え、
前記解析用画像データの生成作業時において、前記実使用プロセッサは、前記データ作成用測定部による測定結果を前記解析用画像データとして前記スコープに送信し、前記メモリは前記解析用画像データを記録することを特徴とする内視鏡システム。
【請求項２】
前記基準信号出力部は、前記解析用画像データの生成作業後であって、前記スコープが前記実使用プロセッサと同じ機能を有する解析用プロセッサと接続されて行われる前記内視鏡システムの不具合に関する解析作業の前段階として行われる解析準備作業時に、前記基準信号を出力し、
前記解析用プロセッサは、前記解析準備作業時に前記基準信号について画像処理を施し、
前記データ作成用測定部または前記データ作成用測定部と同じ機能を有する解析準備作業用測定部は、前記解析準備作業時において、前記解析用プロセッサに接続され、前記基準信号について画像処理が施された画像の特性を測定し、
前記解析準備作業時において前記データ作成用測定部または解析準備作業用測定部によって測定された、前記基準信号が前記解析用プロセッサにおける画像処理が施された画像の特性が、前記解析用画像データに記録された前記基準信号が前記実使用プロセッサにおける画像処理が施された画像の特性と同じになるように、前記解析用プロセッサにおける画像処理の設定値が調整されることを特徴とする請求項１に記載の内視鏡システム。
【請求項３】
前記基準信号出力部は、基準信号として、Ｒの色が出力される信号、Ｇの色が出力される信号、Ｂの色が出力される信号、及びその他の解析用信号を別々に出力することを特徴とする請求項１に記載の内視鏡システム。
【請求項４】
前記基準信号出力部は、前記解析用画像データの生成作業後であって、前記スコープが前記実使用プロセッサと同じ機能を有する解析用プロセッサと接続されて行われる前記内視鏡システムの不具合に関する解析作業の前段階として行われる解析準備作業時に、前記基準信号を出力し、
前記解析用プロセッサは、前記解析準備作業時に前記基準信号について画像処理を施し、
前記データ作成用測定部または前記データ作成用測定部と同じ機能を有する解析準備作業用測定部は、前記解析準備作業時において、前記解析用プロセッサに接続され、前記基準信号について画像処理が施された画像の特性を測定し、
前記解析準備作業時において前記データ作成用測定部または解析準備作業用測定部によって測定された、前記基準信号が前記解析用プロセッサにおける画像処理が施された画像の特性が、前記解析用画像データに記録された前記基準信号が前記実使用プロセッサにおける画像処理が施された画像の特性と同じになるように、前記解析用プロセッサにおける画像処理の設定値を調整するために使用される操作部を、前記解析用プロセッサは有することを特徴とする請求項１に記載の内視鏡システム。
【発明の詳細な説明】
【技術分野】
【０００１】
本発明は、内視鏡システムに関し、特に不具合の解析を容易にする内視鏡システムに関する。
【背景技術】
【０００２】
従来、撮像素子が搭載されたスコープを備えた内視鏡システムが提案されている。内視鏡システムにおいて、不具合が生じた場合に、修理時において不具合の箇所を特定する必要がある。但し、ここでの不具合には、内視鏡システムの少なくとも一部が故障している場合だけでなく、使用者の意図に反した動作（パフォーマンス）も含まれる。例えば、使用者の意図に反する色合いで画像がモニタなどに出力される場合などが考えられる。
【０００３】
特許文献１は、画像処理装置（プロセッサ）の各回路に対してエラーチェックを行う診断手段を有する内視鏡システムを開示する。
【特許文献１】特開２００４−２６１６１２号公報
【発明の開示】
【発明が解決しようとする課題】
【０００４】
特許文献１の装置では、内視鏡システムの故障を特定することはできる。しかし、使用者の意図しない動作の原因を特定する事は出来ない。この場合には、スコープ、及びプロセッサを含む内視鏡システムを医療現場などの使用場所から引き上げる必要がある。但し、プロセッサが大きな装置であり、一旦設置したものを引き上げるのは困難である。
【０００５】
したがって本発明の目的は、プロセッサを引き上げずに、スコープだけを引き上げて、プロセッサとスコープの組み合わせを考慮した不具合解析が可能な内視鏡システムを提供することである。
【課題を解決するための手段】
【０００６】
本発明に係る内視鏡システムは、撮像素子と、メモリと、解析用画像データの生成作業時に撮像素子からの画像信号に代えて基準信号を出力する基準信号出力部とを有するスコープと、通常使用時に画像信号について画像処理を施し、解析用画像データの生成作業時に基準信号について画像処理を施す実使用プロセッサと、実使用プロセッサに接続され、解析用画像データの生成作業時において、基準信号について画像処理が施された画像の特性を測定するデータ作成用測定部とを備え、解析用画像データの生成作業時において、実使用プロセッサは、データ作成用測定部による測定結果を解析用画像データとして前記スコープに送信し、メモリは解析用画像データを記録する。
【０００７】
好ましくは、基準信号出力部は、解析用画像データの生成作業後であって、スコープが実使用プロセッサと同じ機能を有する解析用プロセッサと接続されて行われる内視鏡システムの不具合に関する解析作業の前段階として行われる解析準備作業時に、基準信号を出力し、解析用プロセッサは、解析準備作業時に基準信号について画像処理を施し、データ作成用測定部またはデータ作成用測定部と同じ機能を有する解析準備作業用測定部は、解析準備作業時において、解析用プロセッサに接続され、基準信号について画像処理が施された画像の特性を測定し、解析準備作業時においてデータ作成用測定部または解析準備作業用測定部によって測定された、基準信号が解析用プロセッサにおける画像処理が施された画像の特性が、解析用画像データの特性と同じになるように、解析用プロセッサにおける画像処理の設定値が調整される。
【０００８】
また、好ましくは、基準信号出力部は、基準信号として、Ｒの色が出力される信号、Ｇの色が出力される信号、Ｂの色が出力される信号、及びその他の解析用信号を別々に出力する。また、好ましくは、基準信号出力部は、解析用画像データの生成作業後であって、スコープが実使用プロセッサと同じ機能を有する解析用プロセッサと接続されて行われる内視鏡システムの不具合に関する解析作業の前段階として行われる解析準備作業時に、基準信号を出力し、解析用プロセッサは、解析準備作業時に基準信号について画像処理を施し、データ作成用測定部またはデータ作成用測定部と同じ機能を有する解析準備作業用測定部は、解析準備作業時において、解析用プロセッサに接続され、基準信号について画像処理が施された画像の特性を測定し、解析準備作業時においてデータ作成用測定部または解析準備作業用測定部によって測定された、基準信号が解析用プロセッサにおける画像処理が施された画像の特性が、解析用画像データに記録された基準信号が実使用プロセッサにおける画像処理が施された画像の特性と同じになるように、解析用プロセッサにおける画像処理の設定値を調整するために使用される操作部を、解析用プロセッサは有する。
【発明の効果】
【０００９】
以上のように本発明によれば、プロセッサを引き上げずに、スコープだけを引き上げて、プロセッサとスコープの組み合わせを考慮した不具合解析が可能な内視鏡システムを提供することができる。
【発明を実施するための最良の形態】
【００１０】
以下、本実施形態における内視鏡システムの構成について、図１、図２を用いて説明する。本実施形態に係る内視鏡システム１は、通常の使用モードにおいて、スコープ１０、実使用プロセッサ３０、及び実使用モニタ５０を備える。スコープ１０、実使用プロセッサ３０、及び実使用モニタ５０は、内視鏡システム１を通常の使用モードで使用する場所である医療現場などに設置される。なお、通常の使用モードにおいては、図１に記載されたデータ作成用測定部７０は必要でない。
【００１１】
内視鏡システム１の不具合を解析するため、医療現場で使用されているスコープ１０と実使用プロセッサ３０との組み合わせにおける画像処理（前段の画像処理、及び後段の画像処理）を施した画像の特性（色相、彩度、明度、ガンマ特性、及びハレーション特性など）を記録する解析用画像データを生成する場合には、内視鏡システム１は、スコープ１０、実使用プロセッサ３０、実使用モニタ５０、及びデータ作成用測定部７０を備える。データ作成用測定部７０は、実使用プロセッサ３０が設置された医療現場に用意される。
【００１２】
不具合の解析作業、及び解析作業に先立って、医療現場から引き上げられたスコープ１０と修理作業場などに設置された解析用プロセッサ３０’との組み合わせで、医療現場に残された実使用プロセッサ３０と組み合わせた場合と同じ色再現能力を発揮させる（同じ特性で画像処理が行えるようにする）調整としての解析準備作業が行われる場合には、内視鏡システム１は、スコープ１０、解析用プロセッサ３０’、解析用モニタ５０’、及びデータ作成用測定部７０（または解析準備作業用測定部７０’）を備える。
【００１３】
解析準備作業で使用される解析用プロセッサ３０’は、医療現場に残された実使用プロセッサ３０と同等機能を有するものが使用される（解析用モニタ５０’も同様）。測定部については、解析用画像データ生成作業で使用されたデータ作成用測定部７０を使用するのが望ましいが、機能的に同等な解析準備作業用測定部７０’を使用してもよい。
【００１４】
スコープ１０は、ＣＣＤなどの撮像部１１、撮像部１１を駆動するＣＣＤドライバ１３、相関二重サンプリング処理やＡ／Ｄ変換を行うＣＤＳ及びＡ／Ｄ部１５、ＦＰＧＡ（Ｆｉｅｌｄ  Ｐｒｏｇｒａｍｍａｂｌｅ  Ｇａｔｅ  Ａｒｒａｙ）１７、各種コマンドを記録するコンフィグＲＯＭ１９、スコープ制御部２１、不揮発性のメモリ２３、ＤＳＰ２５、及びビデオアンプ２７を有する。
【００１５】
実使用プロセッサ３０（解析用プロセッサ３０’も同様）は、絶縁回路３１、画像処理回路３３、及び制御部３７を有する。実使用プロセッサ３０ではスコープ１０により取得された画像信号に対し、実使用モニタ５０で表示可能な画像を生成する後段の画像処理が施される。
【００１６】
実使用プロセッサ３０には、実使用モニタ５０が接続される。実使用モニタ５０は、実使用プロセッサ３０で画像処理された、所定のビデオ信号の規格に準拠した画像を表示する表示手段である。実使用プロセッサ３０には、実使用モニタ５０の他に、実使用プロセッサ３０で画像処理された画像データ等を記録する外部記憶装置や、画像を出力（プリントアウト）するプリンタなどが接続されてもよい。
【００１７】
実使用プロセッサ３０のビデオ信号出力端子には、通常の使用モードにおいては実使用モニタ５０が接続され、解析用画像データ生成時や解析準備作業時においては解析用モニタ５０’に加え、データ作成用測定部７０（または解析準備作業用測定部７０’）が接続される。データ作成用測定部７０（解析準備作業用測定部７０’も同様）は、基準信号について画像処理が施された画像についての特性を測定する解析機器（ベクトルスコープ、波形モニタ、パソコンなど）であり、測定結果（測定値）を自身に出力（表示）する。出力された値は、後述する解析用画像データ生成や、解析準備作業で使用される。
【００１８】
次に、各部の詳細について説明する。被観察体からの反射光は対物光学系（不図示）を介して撮像部１１の撮像素子に入射され、撮像素子の入射面に被観察体の光学像が結像される。撮像素子では入射した被観察体の光学像が光電変換され、該光学像に基づいた画像信号が出力される。
【００１９】
通常の使用モードにおいては、撮像部１１から出力された画像信号は、ＣＤＳ及びＡ／Ｄ部１５、ＦＰＧＡ１７を介してＤＳＰ２５に出力され、ＤＳＰ２５においてＹＣ分離など前段の画像処理が施され、ビデオアンプ２７による増幅後、絶縁回路３１を介して実使用プロセッサ３０の画像処理回路３３に出力される。実使用プロセッサ３０では、画像処理回路３３において、後段の画像処理が施されて、実使用モニタ５０で出力可能なビデオ信号にされる。
【００２０】
解析用画像データを生成する場合には、実使用プロセッサ３０の制御部３７は、スコープ制御部２１に対して、色データ収集モードのコマンドを送信する。スコープ制御部２１は、色データ収集モードのコマンドに基づいて、ＦＰＧＡ１７に対してモード切替コマンドを送信する。モード切替が行われると、ＦＰＧＡ１７は、ＣＤＳ及びＡ／Ｄ部１５からの画像信号入力をカットし、ＦＰＧＡ１７が内蔵している基準信号を、撮像部１１の撮像素子の駆動信号に合わせてＤＳＰ２５に対して出力し、基準信号の出力完了後に、スコープ制御部２１に対して、基準信号出力完了通知を行う。ＦＰＧＡ１７（基準信号出力部）は、基準信号として、Ｒの色が出力される信号、Ｇの色が出力される信号、Ｂの色が出力される信号、及びその他解析用信号を切り替えて別々に出力する。その他解析用信号の具体例としては、ガンマ特性を測定するための、のこぎり波など輝度が直線的に変化する信号、や、ハレーション特性としてＹリミット（白レベルを超えるような高い輝度信号が入力された場合に所定の輝度値に強制的にクリップする機能）を測定するための、白レベルを超える信号などが挙げられる。
【００２１】
ＦＰＧＡ１７から出力された基準信号（Ｒの色が出力される信号、Ｇの色が出力される信号、Ｂの色が出力される信号、及びその他解析用信号のいずれか）は、ＤＳＰ２５において前段の画像処理が施され、ビデオアンプ２７による増幅後、実使用プロセッサ３０に出力される。また、基準信号出力完了通知は、スコープ制御部２１を介して実使用プロセッサ３０の制御部３７に対しても行われる。基準信号出力完了通知を受けると、制御部３７は、実使用プロセッサ３０が、ＤＳＰ２５、及びビデオアンプ２７を介して出力された前段の画像処理が施された基準信号を受信できる状態にする。基準信号は実使用プロセッサ３０において後段の画像処理が施され、ビデオ信号出力端子からデータ作成用測定部７０に対して出力される。データ作成用測定部７０は、後段の画像処理が施された基準信号に対応する画像の特性を測定し、測定結果を出力する。測定結果（測定値）は、使用者（またはサービス作業者）によって確認され、実使用プロセッサ３０の操作部３８を使って手入力され、制御部３７、絶縁回路３１、及びスコープ制御部２１を介して、メモリ２３に記録される。色収集モードのコマンド送信からの手順を、各色（ＲＧＢ）信号やその他解析用信号に対応する基準信号ごとに切り替えて行われ、それぞれの測定結果（解析用画像データ）がメモリ２３に記録されると、測定完了通知が、スコープ１０から実使用プロセッサ３０に行われて、解析用画像データの生成作業が終了される。解析用画像データの生成作業終了後、スコープ１０だけが医療現場などから引き上げられ、不具合を解析する解析作業が行われる。なお、測定結果（測定値）の入力は、操作部３８を使って手入力によるものでなく、データ作成用測定部７０などが自動的に測定結果を実使用プロセッサ３０に入力する形態であってもよい。
【００２２】
解析作業に先立って、引き上げられたスコープ１０と修理作業場などに設置された解析用プロセッサ３０’との組み合わせで、医療現場に残された実使用プロセッサ３０と組み合わせた場合と同じ色再現能力を発揮させる（同じ特性で画像処理が行えるようにする）調整として、解析準備作業が行われる。
【００２３】
解析準備作業においては、メモリ２３にデータ作成用測定部７０による測定結果が記録されたスコープ１０と、解析用プロセッサ３０’、解析用モニタ５０’、及びデータ作成用測定部７０（または解析準備作業用測定部７０’）が用意される。解析準備作業は、内視鏡システム１が設置された医療現場などから離れた、内視鏡システム１を供給する企業などで行われるが、本実施形態では、大きくて持ち運びの困難な実使用プロセッサ３０は引き上げる必要はなく、比較的持ち運びが容易なスコープ１０だけが引き上げられる。
【００２４】
解析準備作業においては、解析用画像データ生成作業時と同様に、ＦＰＧＡ１７から基準信号が出力され、データ作成用測定部７０において、画像処理が施された基準信号に対応する画像の特性が測定される。但し、この時のコマンドは、色データ収集モードのコマンドと異なる解析モードに対応したプロセッサ情報収集コマンドが送信され、ＦＰＧＡ１７からの基準信号とともに、メモリ２３に記録された解析用画像データが出力される。解析準備作業におけるデータ作成用測定部７０（解析準備作業用測定部７０’）による測定結果は、データ作成用測定部７０（解析準備作業用測定部７０’）に表示される。メモリ２３から読み出しされた解析用画像データは、データ作成用測定部７０または解析用モニタ５０’などの出力機器に表示される。解析準備作業における測定結果における特性の値が、表示された解析用画像データの値（特性の値、固定値）と同じになるように、解析用プロセッサ３０’における画像処理の設定値（明るさなど色設定に関連するパラメータ）がサービス作業者の操作部３８を使った操作によって調整される。
【００２５】
各色（ＲＧＢ）信号やその他解析用信号に対応する基準信号を使って画像処理の設定値が調整されると、医療現場から引き上げられたスコープ１０と、解析用プロセッサ３０’との組み合わせにおける色再現能力は、医療現場におけるスコープ１０と実使用プロセッサ３０との組み合わせにおける色再現能力と同等にされる。その後、サービス作業者の操作によって、不具合などの解析が行われる。この時、医療現場から引き上げられたものはスコープ１０だけであるが、引き上げられなかった実使用プロセッサ３０の色再現能力などの特性も考慮した内視鏡システム１を使って解析作業が行われるため、スコープ１０だけでなく、実使用プロセッサ３０の不具合、例えば表示される画像の赤色が強いなど微妙な色再現の問題についても解析することが可能になる。ここでの不具合には、内視鏡システム１の少なくとも一部が故障している場合だけでなく、使用者の意図に反した動作（パフォーマンス）も含まれる。例えば、使用者の意図に反する色合いで画像が実使用モニタ５０などに出力される場合などが考えられる。
【００２６】
次に、解析用画像データを生成する手順について、図３のフローチャートを用いて説明する。ステップＳ１１で、スコープ１０が実使用プロセッサ３０と接続されると、使用者またはサービス作業者の操作により色データ収集モードにされて、実使用プロセッサ３０の制御部３７から、スコープ制御部２１に対して、色データ収集モードのコマンドが送信されたか否かが判断される。された場合にはステップＳ１３に進められ、されない場合には、ステップＳ１２が繰り返される。
【００２７】
ステップＳ１３で、スコープ制御部２１によって、色データ収集モードのコマンドに基づくモード切替コマンドが、ＦＰＧＡ１７に対して送信され、ＦＰＧＡ１７は、ＣＤＳ及びＡ／Ｄ部１５からの画像信号入力をカットし、基準信号を、撮像部１１の撮像素子の駆動信号に合わせてＤＳＰ２５に対して出力する。
【００２８】
基準信号の出力後、スコープ１０から実使用プロセッサ３０に、基準信号出力完了通知が行われ、ステップＳ１４で、ＦＰＧＡ１７から出力された基準信号の実使用プロセッサ３０への取り込みが許可される（制御部３７は、実使用プロセッサ３０が、ＤＳＰ２５、及びビデオアンプ２７を介して出力された前段の画像処理が施された基準信号を受信できる状態にする）。ステップＳ１５で、基準信号の実使用プロセッサ３０への取り込み（受信）が完了したか否かが判断される。実使用プロセッサ３０を介して、データ作成用測定部７０で画像処理が施された基準信号に対応する画像の色相、彩度が測定され、これらの値が解析用画像データとして、操作部３８を使って手入力され、実使用プロセッサ３０、スコープ制御部２１を介して、メモリ２３に記録された場合には、取り込み（受信）が完了したとして、ステップＳ１６に進められる。完了していない場合には、ステップＳ１５が繰り返される。
【００２９】
ステップＳ１６で、各色（ＲＧＢ）信号やその他解析用信号に対応する基準信号を使ってステップＳ１４、Ｓ１５の手順が行われたか否かが判断される。行われていない場合には、ステップＳ１７で、別の基準信号がＦＰＧＡ１７から出力されて、ステップＳ１４、Ｓ１５の手順が行われる。総ての基準信号についてステップＳ１４、Ｓ１５の手順が行われた場合には、ステップＳ１８に進められる。
【００３０】
それぞれの測定結果（解析用画像データ）がメモリ２３に記録されると、ステップＳ１８で、測定完了通知が、スコープ１０から実使用プロセッサ３０に行われて、解析用画像データの生成作業が終了される。
【００３１】
次に、解析準備作業の手順について、図４のフローチャートを用いて説明する。ステップＳ３１で、メモリ２３にデータ作成用測定部７０による測定結果が記録されたスコープ１０と、解析用プロセッサ３０’、及びデータ作成用測定部７０（または解析準備作業用測定部７０’）とが接続されると、ステップＳ３２で、サービス作業者の操作により解析モードにされて、解析用プロセッサ３０’の制御部３７から、スコープ制御部２１に対して、プロセッサ情報収集コマンドが送信されたか否かが判断される。された場合にはステップＳ３３に進められ、されない場合には、ステップＳ３２が繰り返される。
【００３２】
ステップＳ３３の判断の前に、スコープ制御部２１によって、プロセッサ情報収集モードコマンドに基づくモード切替コマンドが、ＦＰＧＡ１７に対して送信され、ＦＰＧＡ１７は、ＣＤＳ及びＡ／Ｄ部１５からの画像信号入力をカットし、基準信号を、撮像部１１のＣＣＤの駆動信号に合わせてＤＳＰ２５に対して出力する。
【００３３】
ステップＳ３３で、基準信号の出力後、スコープ１０から解析用プロセッサ３０’に、基準信号出力完了通知が行われ、ＦＰＧＡ１７から出力された基準信号の解析用プロセッサ３０’への取り込みが許可されたか否かが判断される。すなわち、制御部３７が、解析用プロセッサ３０’が、ＤＳＰ２５、及びビデオアンプ２７を介して出力された前段の画像処理が施された基準信号を受信できる状態にしたか否かが判断される。許可された場合はステップＳ３４に進められ、されない場合はステップＳ３３が繰り返される。
【００３４】
ステップＳ３４で、ＦＰＧＡ１７から出力された基準信号に基づいて、データ作成用測定部７０（または解析準備作業用測定部７０’）が基準信号に基づく画像の特性を測定する。測定結果は、データ作成用測定部７０（または解析準備作業用測定部７０’）に表示される。また、メモリ２３に記録された解析用画像データが出力される。読み出しされた解析用画像データは、データ作成用測定部７０または解析用モニタ５０’などの出力機器に表示される。解析準備作業における測定結果における特性の値が、表示された解析用画像データの値（特性の値）と同じになるように、解析用プロセッサ３０’における画像処理の設定値（明るさなど色設定に関連するパラメータ）がサービス作業者によって調整される。
【００３５】
ステップＳ３５で、各色（ＲＧＢ）信号やその他解析用信号に対応する基準信号を使ってステップＳ３３、Ｓ３４の手順が行われたか否かが判断される。行われていない場合には、別の基準信号がＦＰＧＡ１７から出力されて、ステップＳ３３、Ｓ３４の手順が行われる。総ての基準信号についてステップＳ３３、Ｓ３４の手順が行われた場合には、解析準備作業が終了され、引き上げられなかった実使用プロセッサ３０の色再現能力などの特性も考慮した内視鏡システム１を使った解析作業が可能な状態になる。
【００３６】
本実施形態では、解析用画像データ生成時において、基準信号に対する画像の特性を数値化した状態でメモリ２３に記録し、解析準備作業において、メモリ２３に記録された特性の値を見ながら、医療現場におけるスコープ１０と解析用プロセッサ３０’との組み合わせの色再現能力を設定する。このため、医療現場から引き上げなかった実使用プロセッサ３０の色再現能力に近い状態の解析用プロセッサ３０’を解析作業現場に用意することが可能になり、精度の高い不具合解析を行うことが可能になる。
【図面の簡単な説明】
【００３７】
【図１】本実施形態における内視鏡システムの構成図である。
【図２】スコープの詳細な構成図である。
【図３】解析用画像データを生成する手順を示すフローチャートである。
【図４】解析準備作業の手順を示すフローチャートである。
【符号の説明】
【００３８】
１  内視鏡システム
１０  スコープ
１１  撮像部
１３  ＣＣＤドライバ
１５  ＣＤＳ及びＡ／Ｄ部
１７  ＦＰＧＡ
１９  コンフィグＲＯＭ
２１  スコープ制御部
２３  メモリ
２５  ＤＳＰ
２７  ビデオアンプ
３０  実使用プロセッサ
３０’  解析用プロセッサ
３１  絶縁回路
３３  画像処理回路
３７  制御部
３８  操作部
５０  実使用モニタ
５０’  解析用モニタ
７０  データ作成用測定部
７０’  解析準備作業用測定部
【図１】
2009072577.tif 000003
【図２】
2009072577.tif 000004
【図３】
2009072577.tif 000005
【図４】
2009072577.tif 000006